(57)【特許請求の範囲】
【請求項１】
洗浄水や液剤などの洗浄液を噴射する噴射ノズルを備え、被洗浄車両と洗車機本体を前後方向に相対移動させながら洗車を行う洗車機であって、
前記噴射ノズルの配管系統に大気を吸入するインジェクタ部を設けると共に、
前記配管系統は、サイフォンインジェクタを介して水に所定割合の液剤を混合して生成される洗浄液を配送する共通配管と、この共通配管から分岐して前記噴射ノズルに至る分岐配管と、を備え、前記インジェクタ部を前記共通配管に設けたことを特徴とする洗車機。
【請求項２】
前記インジェクタ部は、前記洗浄液の配管経路の絞り部と、これに連なるラッパ状拡開部と、絞り部とラッパ状拡開部との間にエゼクタ効果を発揮して大気を導入する大気導入部を有することを特徴とする請求項１に記載の洗車機。
【請求項３】
前記大気導入部は、前記絞り部と前記ラッパ状拡開部との間に形成された拡径開放部に設けられていることを特徴とする請求項２に記載の洗車機。
【請求項４】
前記ラッパ状拡開部は、前記拡径開放部に面した小径部と拡開された先端部の大径部とを備え、前記小径部が前記絞り部の流路面積の２倍以上大きな流路面積となる径とされることを特徴とする請求項３に記載の洗車機。
【発明の詳細な説明】
【技術分野】
【０００１】
本発明は、たとえば給油所に設置され洗車に使用される洗車機に関し、特に、洗浄水や液剤を噴射する噴射ノズルを備える洗車機に関する。
【背景技術】
【０００２】
従来、給油所などに設置されている洗車機は、被洗浄車両と洗車機本体を前後方向に相対移動させながら、被洗浄車両に貯液タンクに貯留された液剤や洗浄水を噴射して洗車を行う構成とされている。また、液剤や洗浄水を噴射しながらブラッシングして洗浄することや、洗浄後に風を吹き付けて乾燥することが行われている。
【０００３】
洗浄工程においては、先ず、洗浄水を用いて汚れを落とし、次いでシャンプーなどの液剤を用いて洗浄し、さらに洗浄水を用いて水洗いする。この洗浄工程の後で、各送風ノズルから送風して乾燥する乾燥工程が行われる。また、必要に応じてワックスや撥水コートなどの液剤塗布工程を適宜組み合わせて洗車を行う。このように、洗車の際に用いる液剤としては、各種のシャンプーやワックスやコート類が用いられており、それぞれ専用の貯液タンクに貯留され、タンク内に挿入されたチューブを介して、洗車工程の処理に応じて噴射され消費される。また、複数の洗車モードから所望のモードを選択し、使用する液剤の種類を選択して所定の洗車モードに設定する操作パネルやリモートパネルを備えている。操作パネルは洗車機本体に配設しているが、リモートパネルは洗車機本体から離れた位置に設置して、このリモートパネルと操作パネルとを電気的に接続して、リモートパネルに設定された洗車モードにより、洗車機を駆動可能にしている。
【０００４】
操作パネルやリモートパネルを備える洗車機の一例について図６を用いて説明する。この洗車機ＷＢは、複数のブラシを備える洗浄部材と、ブロワと複数の送風ノズルを備える乾燥部材とを一体に装着し、被洗浄車両ＣＡを跨ぐように門型とされる洗車機本体１を備えた構成であり、被洗浄車両ＣＡと洗車機本体１を前後方向に相対移動させながら、複数の貯液タンクに貯留された液剤をそれぞれ水により希釈して前記被洗浄車両へ噴射して、前記被洗浄車両の洗車を行う。
【０００５】
例えば、洗車機本体１が、車輪３を介してレール２上に沿って走行移動する構成とし、被洗浄車両ＣＡを、該被洗浄車両ＣＡを跨ぐ門型とされる洗車機の左右一対のレール間の所定の位置に停車して、洗車機本体１に設置する操作パネル７もしくは洗車機本体１から離れた位置に設置するリモートパネル７Ａに、所望の洗車モードを設定し、スタートボタンを操作して、洗車操作を開始する。
【０００６】
門型の洗車機本体１は、被洗浄車両ＣＡを洗浄するブラシとして、例えば、被洗浄車両ＣＡの上面を洗浄するトップブラシ４と、被洗浄車両ＣＡの両側面と前後面を洗浄する左右一対のサイドブラシ５と、被洗浄車両ＣＡの両側面下部を洗浄する左右一対のロッカーブラシ６を備えている。
【０００７】
また、ブラッシングの際に使用する洗浄水や各種液剤を噴射する各種ノズルや各種液剤を貯液する貯液タンクを備えている。各種液剤を貯液する複数の貯液タンクは、洗車機本体１に設けられるタンク収納部５０に収納されており、電磁式の開閉弁と副給水ホースを備える分配配管部５１を介して各ノズルに分配している。液剤を噴射するノズルとしては、例えば、第一浄水ノズル１１、第一洗剤ノズル１２、第二浄水ノズル１３、撥水コートノズル１４、第二洗剤ノズル１５、ワックスノズル１６などが配設されている。
【０００８】
さらに、乾燥のために、ブロワ２０と該ブロワ２０からの送風を吹き付ける昇降自在なトップ送風ノズル２１と左右一対のサイド送風ノズル２２を備えている。また、洗車機本体１に配設する操作パネル７、もしくは、洗車機本体１から離れた位置に設置するリモートパネル７Ａを介して、洗車機ＷＢの駆動条件を設定し、設定された条件に基づいて洗車機ＷＢを駆動する構成としている。８は、被洗浄車両ＣＡの有無および車高を検知するセンサであって、例えば、光電センサや超音波を利用したソニックセンサが好適に用いられる。
【０００９】
操作パネル７やリモートパネル７Ａには、水洗いモードや、洗剤を用いた洗浄モードや、ワックスを塗布するワックスモードや、撥水剤をコートする撥水モードなどの各種洗車モードを選択する選択ボタンや、ブラシの回転数を制御するブラシ回転スイッチや、スタート・ストップボタンなどが設けられている。
【００１０】
また、洗車機本体１を、洗浄部材を備えた洗浄機本体と乾燥部材を備えた乾燥機本体との別体として、それぞれが、被洗浄車両ＣＡを跨ぐように門型とされ、被洗浄車両ＣＡと洗浄機本体と乾燥機本体とを前後方向に相対移動させながら、被洗浄車両ＣＡの洗車を行う構成の洗車機も知られている。この構成であっても、各種ブラシと各種ノズルを備え、操作パネル７もしくはリモートパネル７Ａを備えていることは同じである。
【００１１】
上記した構成の洗車機ＷＢにおいては、洗浄水や、液剤を混入した水などを被洗浄車両ＣＡに噴射して洗車を行うので、水の使用量が大きく、排水の量も多くなっているのが現状である。そのために、節水仕様の洗車機が求められており、噴射ノズルの内径を絞ったり、配管ホース径を絞ったり、ポンプ圧を制御したりして、節水を図るようにしている。
【００１２】
また、液剤の種類に応じて水量を調整し、水の節約を図るとした洗車機が既に本出願人から提案されている（例えば、特許文献１参照）。また、洗車能力を落とすことなく洗車液の節約を行うために、第一洗浄液を供給する第一供給部と液経路に高圧のエアを供給するエア供給部と第二洗浄液を供給する第二供給部を備えて、洗浄液にエアを混入して噴出させることで、噴出のパワーを増加させるとした洗浄用噴出具が既に公開されている（例えば、特許文献２参照）。
【先行技術文献】
【特許文献】
【００１３】
【特許文献１】特開２００９−５６８２５号公報
【特許文献２】特開２００８−１２０３２７号公報
【発明の概要】
【発明が解決しようとする課題】
【００１４】
ノズル内径や配管ホースの径を絞って、水量を減らすことは可能であるが、細い内径にゴミや液剤中の固化成分が付着してノズル詰まりや管詰まりが生じてしまい、洗車能力が落ちたり、液剤の塗布量が低下したりして問題となる。
【００１５】
また、洗浄水や洗剤などの洗浄液を高圧噴射したり、これらの洗浄液に高圧エアを混入したりして、高い洗浄能力を発揮し、車体表面の汚れを落として洗浄することはできる。このように、洗浄液中に新たな高圧エアを混入すると、水量を減らしても洗浄能力は落ちないが、新たな高圧エアを用いずにより簡単な構成で、水量を減らすと共に洗浄能力が発揮できることが好ましい。
【００１６】
そのために、ノズル内径を絞らずに水量を減らして洗車することを可能とし、新たな高圧エアを用いずに洗浄能力を発揮可能な洗車機であることが好ましい。
【００１７】
本発明は、上記問題点に鑑み、水量を減らしても洗浄能力を発揮する洗車機を提供することを目的とする。
【課題を解決するための手段】
【００１８】
上記目的を達成するために本発明は、洗浄水や液剤などの洗浄液を噴射する噴射ノズルを備え、被洗浄車両と洗車機本体を前後方向に相対移動させながら洗車を行う洗車機であって、前記噴射ノズルの配管系統に大気を吸入するインジェクタ部を設けたことを特徴としている。
【００１９】
この構成によると、インジェクタ部を介して吸入された空気が混入した洗浄液を吹き付けるので、水量を減らしても噴射の勢いが増すと共に、噴射角度が拡がって、洗浄能力を発揮する洗車機を得ることができる。
【００２０】
また本発明は、上記構成の洗車機において、前記噴射ノズルの配管系統は、共通配管と、この共通配管から分岐して前記噴射ノズルに至る分岐配管と、を備え、前記インジェクタ部を前記共通配管に設けたことを特徴としている。この構成によると、配管の一箇所にインジェクタ部を設けるだけで、左右複数の噴射ノズルの水量を減らしても洗浄能力を発揮する洗車機となる。
【００２１】
また本発明は、上記構成の洗車機において、前記インジェクタ部は、前記洗浄液の配管経路の絞り部と、これに連なるラッパ状拡開部と、絞り部とラッパ状拡開部との間にエゼクタ効果を発揮して大気を導入する大気導入部を有することを特徴としている。この構成によると、絞り部とラッパ状拡開部との間に大気導入部を設けたので、絞り部を介して生じる負圧により大気を吸引する。また、吸引されて洗浄液と空気が混合した混合液をラッパ状拡開部を介して拡散混合して、さらに、空気が均一に混合した洗浄液を噴射する。
【００２２】
また本発明は、上記構成の洗車機において、前記大気導入部は、前記絞り部と前記ラッパ状拡開部との間に形成された拡径開放部に設けられていることを特徴としている。この構成によると、絞り部からラッパ状拡開部に至る連結部が拡径されているので、この拡径開放部を大気に開放することで、配管内を流れる洗浄液に空気を混入させることが容易に可能となる。
【００２３】
また本発明は、上記構成の洗車機において、前記ラッパ状拡開部は、前記拡径開放部に面した小径部と拡開された先端部の大径部とを備え、前記小径部が前記絞り部の流路面積の２倍程度以上の大きな流路面積となる径とされることを特徴としている。この構成によると、絞り部を流れる洗浄液が、ラッパ状拡開部の入口となる小径部に全て流れる構成となって、空気が混合した洗浄液を確実にラッパ状拡開部に送り込むことができる。
【発明の効果】
【００２４】
本発明によれば、洗浄液を噴射する噴射ノズルを備えた洗車機において、噴射ノズルの配管系統に大気を吸入するインジェクタ部を設け、大気を混入した洗浄液を噴射する構成としたので、水量が減っても噴射の勢いが増すと共に噴射角度が拡がり、水量を減らしても洗浄能力を発揮する洗車機を得ることができる。
【図面の簡単な説明】
【００２５】
【図１】本発明に係る噴射ノズルの配管系統の一例を示す概略説明図である。
【図２】本発明に係るインジェクタ部の一例を示す断面図である。
【図３】図２のインジェクタ部の構成部材であるノズル部材の拡大図である。
【図４】図２のインジェクタ部の構成部材である押さえナットの拡大図である。
【図５】洗車機の概略正面図である。
【図６】洗車機の全体構成を示す概略説明図である。
【発明を実施するための形態】
【００２６】
以下に本発明の実施形態を図面を参照して説明する。また、同一構成部材については同一の符号を用い、詳細な説明は適宜省略する。
【００２７】
本実施形態の洗車機ＷＡは、洗車機本体と被洗浄車両とを前後方向に相対移動させながら、被洗浄車両の洗車を行う洗車機であって、先に説明した図６に示す洗車機ＷＢと同様な構成とされている。そのために、図５に示すように、車輪３を介してレール２上に沿って走行移動する門型の洗車機本体１に、被洗浄車両ＣＡの上面を洗浄するトップブラシ４と、被洗浄車両ＣＡの両側面と前後面を洗浄する左右一対のサイドブラシ５、および、被洗浄車両ＣＡの足回りを洗浄するロッカーブラシ６を備え、乾燥のために、ブロワ２０と該ブロワ２０からの送風を吹き付ける昇降自在なトップ送風ノズル２１と左右一対のサイド送風ノズル２２を備えた構成の洗車機ＷＡである。
【００２８】
ただし、従来の洗車機ＷＢに対して本実施形態に係る洗車機ＷＡは、洗浄水や薬剤などを給送する配管系統に大気を吸引するインジェクタ部４０を設けた点が異なる。図中に示す８Ａは、車両のボンネット高さを検知するボンネット高さ検知センサであって、前述した被洗浄車両ＣＡの有無および車高を検知するセンサ８と同様に光電式もしくは超音波式の反射型センサを用いることができる。また、これらのセンサの配設位置を考慮して一個のセンサを兼用して被洗浄車両ＣＡの有無とボンネット高さを検知することも可能である。
【００２９】
また、ボンネット高さ検知センサ８Ａに替えて透過式光電センサからなる車形検出センサ（不図示）を用いることもできる。この場合には、洗車機本体の一方の側部の上下方向に投光器を併設し、これらの投光器に対向する他方の側部の上下方向に受光器を併設することで、洗浄位置に進入してくる被洗浄車両の車形およびボンネット高さを検知する。
【００３０】
本実施形態に係るインジェクタ部４０は、洗浄の際に水量を減らしても洗浄能力を発揮するように、洗浄液中に大気を混入させるために配設されるものである。そのために、大気を吸引するインジェクタ部４０を備えた配管系統ＨＫ１について図１を用いてさらに説明する。
【００３１】
図１に示す配管系統ＨＫ１は、液剤Ａを水で希釈して噴射ノズルＮ１（Ｎ１Ａ、Ｎ１Ｂ）、Ｎ２（Ｎ２Ａ、Ｎ２Ｂ）に分配して噴射するまでを示しており、液剤Ａを貯留する貯液タンク３１Ａと、液剤ポンプ３２と、液剤ホース３３と、電磁開閉弁３４と、逆止弁３５と、を備えた液剤配管部ＡＨと、水ポンプ３８と電磁開閉弁３７とサイフォンインジェクタ３６を備えた水配管部ＷＨと、さらに、大気を吸引するインジェクタ部４０を介して空気を混入して、液剤と水と空気とが混合した混合洗浄液を配送する混合洗浄液配管部ＡＷＡＨを備えた構成とされる。
【００３２】
また、水ポンプ３８からサイフォンインジェクタ３６に至る配管Ｈ１と、サイフォンインジェクタ３６を介して吸引した液剤Ａと水とを混合した洗浄液を配送する配管Ｈ２とは、太い管径の配管（例えば、内径１５ｍｍ）としている。噴射ノズルＮ１（Ｎ１Ａ、Ｎ１Ｂ）、Ｎ２（Ｎ２Ａ、Ｎ２Ｂ）への配管Ｈ４（Ｈ４Ａ、Ｈ４Ｂ、Ｈ４Ｃ、Ｈ４Ｄ）は、それよりも細い管径の配管（例えば、内径７．５ｍｍ）としている。
【００３３】
サイフォンインジェクタ３６は、サイフォン式の混合器であって、水ポンプ３８を駆動して電磁開閉弁３７を介して配送される水に所定割合の液剤を混合して、所定濃度の洗浄液を生成する。
【００３４】
逆止弁３５は、液剤Ａの送り出し量が所定量を超えたときに、空気を送り込んで、所定量以上の液剤の送り出しを抑制するために用いる。
【００３５】
噴射ノズルＮ１（Ｎ１Ａ、Ｎ１Ｂ）は、例えば、トップノズルであり、噴射ノズルＮ２（Ｎ２Ａ、Ｎ２Ｂ）は、例えば、サイドノズルであって、それぞれ少なくとも左右一対設けられている。また、左右それぞれに複数のノズルを配設してもよい。
【００３６】
噴射ノズルＮ１（Ｎ１Ａ、Ｎ１Ｂ）、Ｎ２（Ｎ２Ａ、Ｎ２Ｂ）は、共通配管である配管Ｈ２から分岐した分岐配管Ｈ３にそれぞれ配設されている。また、分岐配管Ｈ３からノズル配管Ｈ４Ａ、Ｈ４Ｂ、Ｈ４Ｃ、Ｈ４Ｄがさらに分岐して、それぞれの噴射ノズルに接続される。そのために、配管Ｈ２の管径に比較して、分岐配管Ｈ３は少し小さな管径とされ、ノズル配管Ｈ４Ａ、Ｈ４Ｂ、Ｈ４Ｃ、Ｈ４Ｄはさらに小さな管径とされており、例えば、前述したように、ノズル配管Ｈ４Ａ〜Ｈ４Ｄの管径は配管Ｈ２の約半分の管径としている。このように、共通配管の管径は、分岐される末端の管の合計面積よりも大きな面積となるような管径であることが好ましい。
【００３７】
噴射ノズルＮ１（Ｎ１Ａ、Ｎ１Ｂ）、Ｎ２（Ｎ２Ａ、Ｎ２Ｂ）からの洗浄液の噴射は、別に設ける制御手段を介して、液剤ポンプ３２と電磁開閉弁３４、および、水ポンプ３８と電磁開閉弁３７の駆動を制御することで、貯液タンク３１Ａに貯留された液剤の噴霧のオン・オフと液剤濃度と噴霧量を制御することができる。この制御手段は、各種洗車モードの設定や洗車操作の開始を設定する操作パネル７に設けることが好ましい。
【００３８】
次に、液剤Ａと水とを混合した洗浄液を配送する配管Ｈ２に設けるインジェクタ部４０について、図２を用いて詳細に説明する。
【００３９】
インジェクタ部４０は、共通配管である配管Ｈ２部に配設され、洗浄液流れＡ１を絞る絞り部ＳＢと、これに連なるラッパ状拡開部ＲＫと、絞り部とラッパ状拡開部との間にエゼクタ効果を発揮して大気を導入する大気導入部ＴＤを備えた構成である。
【００４０】
絞り部ＳＢは、インジェクタ本体部材４１にノズル部材４２を装着して形成される。インジェクタ本体部材４１は、ラッパ状拡開部ＲＫを形成するテーパ状孔部４１ａと、ノズル部材装着部４１ｂと、ナット装着部４１ｃと、配管接続部４１ｄと、竹の子接続部４１ｅと、大気導入管接続部４１ｆと、を備えている。
【００４１】
また、ノズル部材４２は、このノズル部材４２をノズル部材装着部４１ｂに嵌め込み、押さえナット４３をナット装着部４１ｃに螺合することで、インジェクタ本体部材４１の所定の位置に固定される。
【００４２】
押さえナット４３は、図４の拡大図に示すように、雄ネジ部４３ａと工具装着用貫通孔部４３ｂを有する。貫通孔部４３ｂは、例えば、六角レンチを装着可能な六角状孔であって、洗浄液が流れる配管流路ともなるように構成されている。そのために、ノズル部材４２をノズル部材装着部４１ｂに嵌め込んだ後、雌ネジが形成されているナット装着部４１ｃに雄ネジ部４３ａを螺合してノズル部材４２を固定することができる。
【００４３】
ノズル部材４２がインジェクタ本体部材４１の所定の位置に固定されると、ノズル部材４２の先端とテーパ状孔部４１ａの入口部との間に間隙が生じるように設定される。この間隙は、絞り部ＳＢとラッパ状拡開部ＲＫとの間に形成される拡径開放部となる。この構成であれば、この拡径開放部を大気に開放することで、配管内を流れる洗浄液に空気を混入させることが容易に可能となる。そのために、この拡径開放部が、絞り部ＳＢとラッパ状拡開部ＲＫとの間に形成され、エゼクタ効果を発揮して大気を導入する大気導入部ＴＤとなる。
【００４４】
ノズル部材４２は、図３の拡大図に示すように、小径ノズル部４２ａとテーパ絞り部４２ｂを備えていて、配管Ｈ２内の洗浄液流れＡ１を絞り、より高速な洗浄液流れＡ２を生成する。そのために、小径ノズル部４２ａとテーパ絞り部４２ｂとで絞り部ＳＢを形成する。より高速な洗浄液流れＡ２は、前述した大気導入部ＴＤを貫通してラッパ状拡開部ＲＫに送り込まれて拡散しながら給送されて、前述した噴射ノズルＮ１（Ｎ１Ａ、Ｎ１Ｂ）、Ｎ２（Ｎ２Ａ、Ｎ２Ｂ）から噴射される。
【００４５】
より高速な洗浄液流れＡ２が大気導入部ＴＤを貫通するようにして流れると、この大気導入部ＴＤに負圧が生じて、大気導入配管Ｈ５（図１参照）に連なる大気導入管４４を介して大気が吸入される。つまり、エゼクタ効果を発揮する。
【００４６】
上記のような構成とされているので、インジェクタ部４０に洗浄液を給送すると、大気導入部ＴＤに大気が吸入されて、ラッパ状拡開部ＲＫ内に、より高速な洗浄液流れＡ２に空気が混入した混合液流れＡＢ１が生成される。
【００４７】
また、混合液流れＡＢ１は、ラッパ状拡開部ＲＫ内を流れる間に拡散混合され、空気と洗浄液がより均一に混合した拡散流れＡＢ２となる。このように、絞り部ＳＢとラッパ状拡開部ＲＫとの間に大気導入部ＴＤを設けたので、絞り部ＳＢを介して生じる負圧により大気を吸引する。また、吸引されて洗浄液と空気が混合した混合液をラッパ状拡開部ＲＫを介して拡散混合して、さらに、空気が均一に混合した洗浄液を噴射する。
【００４８】
ラッパ状拡開部ＲＫは、拡径開放部に面し、小径ノズル部４２ａから噴出する洗浄液流れＡ２が流れ込む小径部４１ａａと，拡開された先端部の大径部４１ａｂと、を備えている。この際に、小径部４１ａａの大きさは、小径ノズル部４２ａの流路面積の２倍程度もしくは２倍程度よりも大きな流路面積となる径とすることが好ましい。この構成であれば、小径ノズル部４２ａから噴出する洗浄液流れＡ２が、ラッパ状拡開部ＲＫの入口となる小径部４１ａａに全て流れる構成となって、空気が混合した混合液を確実にラッパ状拡開部ＲＫに送り込むことができる。
【００４９】
例えば、本実施形態では、内径ｄ１が３．４ｍｍの小径ノズル部４２ａと、内径Ｄ１が５ｍｍの小径部４１ａａと内径Ｄ２が８ｍｍの大径部４１ａｂを有するノズル部材４２を用いている。この寸法であれば、内径５ｍｍの小径部４１ａａの流路面積は、内径３．４ｍｍの小径ノズル部４２ａの流路面積の約２．２倍となる。
【００５０】
上記したように、小径ノズル部４２ａの流路面積の２倍程度、もしくは２倍程度よりも大きな流路面積の小径部４１ａａを有するラッパ状拡開部ＲＫを用いることで、より高速な洗浄液流れＡ２に大気を吸入させて混合液流れＡＢ１を生成し、ラッパ状拡開部ＲＫを介して拡散混合して、洗浄液中に空気が拡散混合した拡散流れＡＢ２として送出される。
【００５１】
そのために、本実施形態に係る洗車機ＷＡは、配管Ｈ２内の洗浄液流れＡ１をそのまま噴射ノズルから噴射するのではなく、インジェクタ部４０を設けて大気を吸入する構成として、空気が拡散混合した拡散流れＡＢ２を噴射ノズルから噴射する構成とされる。
【００５２】
このように、洗浄液中に空気が拡散混合した拡散流れＡＢ２は、空気が混在している分だけ容量が増加し、さらに、噴射の際に拡がり易くなるものと思われるので、噴出される洗浄液の勢いが強くなり、さらに、ノズルから噴出される広がり（噴出角度）も大きくなることが想定される。そのために、インジェクタ部４０を用いない通常の噴射テストと、実際にインジェクタ部４０を設けた噴射ノズルからの噴射テストを行った。その結果を表１に示す。
【００５３】
【表１】
0005521869.tif 000002
【００５４】
表１に示すテスト結果は、内径１５ｍｍの配管Ｈ１、Ｈ２と内径７．５ｍｍで噴射ノズルＮｉ、Ｎ２に連なるノズル配管Ｈ４Ａ〜Ｈ４Ｄを備えた配管系統に内径３．４ｍｍの小径ノズル部４２ａを有するインジェクタ部４０を配管Ｈ２に装着した例（Ｂ−１、Ｂ−２）を、インジェクタ部４０を用いていない例（Ａ−１、Ａ−２）と比較したものである。また、水ポンプの周波数を変化させて給送する水量を変化させている。また、このときの、噴射ノズルから噴射される水の勢いと水の拡がりを測定した。
【００５５】
表に示すように、実験Ａ−１では、水ポンプ周波数が５７Ｈｚで１０Ｌ／分の水量が噴射される。また、このときの水の勢いは良好（○）であって、水の拡がりは約７５°であった。この状態で、水ポンプ周波数を４０Ｈｚにする（実験Ａ−２）と、水量が７Ｌ／分に低下する。この際の、水の勢いは不良（×）であった。そのために、洗浄効果は期待できず、水の拡がりは特に測定していない。
【００５６】
また、インジェクタ部４０を用いたところ、水ポンプ周波数が５７Ｈｚ（実験Ｂ−１）では、水量は８Ｌ／分であったが、水の勢いは非常に良好（◎）であり、水の拡がりは約９５°であった。また、この状態で、水ポンプ周波数を４０Ｈｚにする（実験Ｂ−２）と、水量が６Ｌ／分に低下する。この際の、水の勢いは略良好（○）であった。この状態で水の拡がりは特に測定していない。
【００５７】
上記したように、インジェクタ部４０を用いて大気を洗浄液中に混合することで、使用する水量を減らしながらも、水の勢いが増して洗浄効果を発揮可能となることが明らかとなった。また、水の拡がりも大きくなって、さらなる洗車効果を向上させることが可能となることが判った。
【００５８】
そのために、高圧空気ではなく、大気を吸入するインジェクタ部４０を用いて、洗浄液中に空気を混入させて、空気が混入した洗浄液を吹き付けることで、水量を減らしても噴射の勢いが増すと共に、噴射角度が拡がって、洗浄能力を発揮する洗車機を得ることができる。
【００５９】
また、インジェクタ部４０は共通配管に設けることが好ましい。この構成であれば、被洗浄車両の両側面の複数個所を同時に洗車するために、左右に複数の噴射ノズルを備える構成の洗車機であっても、配管の一箇所にインジェクタ部を設けるだけで、左右複数の噴射ノズルの水量を減らしながら、十分な洗車を可能とする洗車機となる。
【００６０】
以上、説明したように、本実施形態に係る洗車機ＷＡは、ノズル内径を絞らずに水量を減らして洗車することを可能とし、新たな高圧エアを用いずに洗浄能力を発揮可能な洗車機となって好ましい。
【００６１】
上記したように本発明に係る洗車機によれば、噴射ノズルの配管系統に大気を吸入するインジェクタ部を設け、大気を混入した洗浄液を噴射する構成としたので、水量が減っても噴射の勢いが増すと共に噴射角度が拡がり、水量を減らしても洗浄能力を発揮する洗車機となる。
【産業上の利用可能性】
【００６２】
そのために、本発明に係る洗車機は、水量や液剤量を節約することが求められる洗車場の洗車機として好適に適用される。
【符号の説明】
【００６３】
１    洗車機本体
２    レール
３    車輪
５    サイドブラシ
３１Ａ  液剤タンク
３２    液剤ポンプ
３８    水ポンプ
４０    インジェクタ部
４１    インジェクタ本体部材
４１ａ  テーパ状孔部（ラッパ状拡開部ＲＫ）
４２    ノズル部材
４２ａ  小径ノズル部（絞り部）
４２ｂ  テーパ絞り部（絞り部）
４３    押さえナット
Ｈ１    配管（共通配管）
Ｈ２    配管（共通配管）
Ｈ３    配管（分岐配管）
ＳＢ    絞り部
ＲＫ    ラッパ状拡開部
ＴＤ    大気導入部
ＣＡ    被洗浄車両
ＷＡ    洗車機（本発明の）
ＷＢ    洗車機（従来の）
【図１】
0005521869.tif 000003
【図２】
0005521869.tif 000004
【図３】
0005521869.tif 000005
【図４】
0005521869.tif 000006
【図５】
0005521869.tif 000007
【図６】
0005521869.tif 000008